(57)【特許請求の範囲】
【請求項１】
床面から天井面まで延ばされる間仕切り壁の構造であって、
一方の室に面する面材パネルと、もう一方の室に面する面材パネルとが備えられ、これら面材パネルは、それらの背面同士を対向させ、一方の面材パネルの設置状態においてもう一方の面材パネルの取付け及び取外しをできるよう設置されており、
前記もう一方の面材パネルの上端面は天井面から下方に離間されてこの面材パネルと天井面との間に開口部が形成され、該開口部の奥方に配線及び／又は配管を通す空間部が備えられ、該空間部が開口部を通じて外に開放されるようになされていると共に、該開口部は塞ぎ材にて開閉可能に塞がれており、
前記もう一方の面材パネルを床面から浮上状態にし下方に変位させることで、この面材パネルを前記一方の面材パネルに対して引っ掛け状態に取り付け、この取付け状態において、前記もう一方の面材パネルを上方に変位させることで、引っ掛け取付け状態を解除する引っ掛け取付け手段が備えられ、
奥方を配線及び／又は配管を通す空間部とする前記開口部が、前記もう一方の面材パネルの前記下方変位によりこの面材パネルと天井との間に形成される開口部からなることを特徴とする間仕切り壁の構造。
【請求項２】
天井側のランナー材が壁心から側方に偏って天井下面に取り付けられ、この偏心によってランナー材と隣り合って形成される空間部に配線及び／又は配管が延ばされている請求項１に記載の間仕切り壁の構造。
【請求項３】
天井側のランナー材が壁心から側方に偏って天井下面に取り付けられ、この偏心によってランナー材と隣り合って形成される空間部内の上方の天井にあけられている孔を通じて、該ランナー材に妨げられることなく天井裏からの配線及び／又は配管が該空間部内に延ばされている請求項１又は２に記載の間仕切り壁の構造。
【発明の詳細な説明】
【０００１】
【発明の属する技術分野】
本発明は、例えば住宅の内装などに用いられる間仕切り壁の構造に関する。
【０００２】
【従来の技術】
室と室を仕切る従来の間仕切り壁は、一方の室に面する面材と、もう一方の室に面する面材とを互いに一体不可分に結合させて構成された、いわゆる間仕切り壁パネルを用い、これを天井と床とにわたすように設置して形成されるものであった。
【０００３】
【発明が解決しようとする課題】
しかしながら、上記のような間仕切り構造では、ライフステージやライフスタイルの変化に応じて、一方の室の内装のみを変更しようとする場合に、間仕切り壁パネル全体を交換する必要があり、工事が大掛かりなものとなってしまうと共に、改装コストも高くつくという問題があった。
【０００４】
また、屋内配線・配管計画上の理由から、間仕切り壁内に、配線や配管を通すことが求められる場合に、それを行うのが、従来の間仕切り壁構造では、施工上非常に難しいという問題もあった。
【０００５】
更に、間仕切り壁には、その設置場所との関係で、遮音性を求められたり、さほど求められなかったり、断熱性を求められたり、さほど求められなかったりと、求められる性能を異にするため、上記のような間仕切り壁では、それぞれの性能に応じた専用の間仕切り壁パネルを複数種類用意して施工を行わなければならず、施工が厄介であるという問題もあった。
【０００６】
本発明は、上記のような従来の問題点に鑑み、ライフステージやライフスタイルの変化に応じて一方の室の内装のみを変更しようというような場合に、これを簡易にかつコスト的に有利に行うことができ、また、配線や配管を内部に通すことが求められる場合に、これを施工上容易に行うことができ、更に、求められる遮音・断熱等の性能が設置場所との関係で異なるような場合に、それに簡易に対応することができる間仕切り壁の構造を提供することを課題とする。
【０００７】
【課題を解決するための手段】
上記課題は、床面から天井面まで延ばされる間仕切り壁の構造であって、
一方の室に面する面材パネルと、もう一方の室に面する面材パネルとが備えられ、これら面材パネルは、それらの背面同士を対向させ、一方の面材パネルの設置状態において他方の面材パネルの取付け及び取外しをできるよう設置されていることを特徴とする間仕切り壁の構造によって解決される。
【０００８】
即ち、この間仕切り壁では、ライフステージやライフスタイルの変化に応じて一方の室の内装のみを変更しようとする場合は、他方の室に面する面材パネルは取り外さずに設置したまま、変更しようとする室に面する面材パネルのみを取り外して、これを新たな面材パネルと交換すればよく、内装工事を簡易にかつコスト的に有利に行うことができる。
【０００９】
また、間仕切り壁の設置工事において、配線や配管を間仕切り壁の内部に通すことが求められる場合は、一方の面材パネルを設置したのち、この面材パネルの背面側に配線や配管を延ばし、そして、もう一方の面材パネルの取付けを行うことにより、施工上容易に間仕切り壁内に配線や配管を通すことができる。もちろん、既設の間仕切り壁内に配線や配管を通す場合や通した配線や配管の方向を変更する場合などにおいても、一方の面材パネルのみを取り外すことで、その作業を容易に行うことができる。
【００１０】
更に、間仕切り壁に求められる遮音、断熱等に関する性能が設置場所との関係で異なる場合は、一方の面材パネルを設置したのち、この面材パネルの背面側に、遮音材や断熱材を入れたり、入れなかったりし、そして、もう一方の面材パネルの取付けを行うというようにすることで、求められる性能の間仕切り壁を簡易に形成していくことができる。
【００１１】
上記の構造において、一方の面材パネルの上端面が天井面から下方に離間されてこの面材パネルと天井面との間に開口部が形成され、該開口部の奥方に配線及び／又は配管を通す空間部が備えられ、該空間部が開口部を通じて外に開放されるものとなされているのがよい。これにより、この開口部を通じて、奥方の空間部に配線及び／又は配管を通したり、奥方空間部内の配線及び／又は配管にアクセスすることができる。
【００１２】
上記の開口部が、塞ぎ材にて開閉可能に塞がれている場合は、奥方空間部へのアクセスを開口部を通じて行うことができながら、常時は奥方空間部を見えないように隠しておくことができる。
【００１３】
また、天井側のランナー材が壁心から側方に偏って天井下面に取り付けられ、この偏心によってランナー材と隣り合って形成される空間部に配線及び／又は配管が延ばされているのがよい。これにより、配線及び／又は配管を、ランナー材に妨げられることなく、開口部奥方の空間部に通すことができる。
【００１４】
また、天井側のランナー材が壁心から側方に偏って天井下面に取り付けられ、この偏心によってランナー材と隣り合って形成される空間部内の上方の天井にあけられている孔を通じて、天井裏からの配線及び／又は配管が該空間部内に延ばされているのもよい。これにより、天井裏からの配線及び／又は配管を、ランナー材に配線及び／又は配管を通す孔を形成することなく、開口部奥方の空間部に通すことができる。
【００１５】
また、床面から浮上状態にした前記一方の面材パネルを下方に変位させることで、この面材パネルをもう一方の面材パネルに対して引っ掛け状態に取り付け、この取付け状態において、前記一方の面材パネルを上方に変位させることで、引っ掛け取付け状態を解除する引っ掛け取付け手段が備えられ、
前記開口部は、前記一方の面材パネルの前記下方変位によりこの面材パネルと天井との間に形成される開口部からなるのがよい。
【００１６】
即ち、この引っ掛け取付け手段は、前記一方の面材パネルと天井面との間の開口部を有機的に結び付け、この開口部を前記一方の面材パネルの取付け及び取外しに有効利用するものである。前記一方の面材パネルは、これを床面から浮上させ、そして、もう一方の面材パネルの背面側に沿わせ、下方に変位させるだけでしっかりと取り付けることができ、しかも、これにより、同時に、上記の開口部を形成することができる。前記一方の面材パネルの取外しは、この開口部を利用して上方に変位させればよい。例えば、前記一方の面材パネルの側方に隣接して物が存在するような場合でも、その物に妨げられることなく、開口部を利用して、この一方の面材パネルの取付け及び取外しを行うことができる。
【００１７】
両面材パネルを天井側に取り付ける金具が備えられ、該取付け金具は、
上向き開放の横断面コ字状部と、
該コ字状部の両側辺の先端部から水平方向外方に突出された水平板部と、
水平板部の先端に、水平跳上げ状態と垂下状態とに回動されるよう蝶着されたおさえ板と、
を備え、
天井面に取り付けられたランナー材が横断面コ字状部内に嵌合され、おさえ板を水平跳上げ状態にして受け入れさせた両面材パネルの上縁部にて横断面コ字状部が両側から挟まれると共に、各水平板部がそれぞれの面材パネルの上面に支承され、垂下状態にされたおさえ板と横断面コ字状部とで面材パネルの上縁部が挟み込まれ、おさえ板が垂下状態に保持されて、両面材パネルが天井側に取り付けられているものとするのもよい。
【００１８】
即ち、金具の横断面コ字状部を面材パネル間の上縁部間に挟ませることで、面材パネル間の間隔を容易に一定間隔に設定することができる。
【００１９】
しかも、横断面コ字状部が天井面のランナー材に嵌合されていること、金具の水平板部が各パネルの上面に支承されていること、及び、垂下状態にされたおさえ板と横断面コ字状部とで面材パネルの上縁部が挟み込まれ、おさえ板が垂下状態に保持されていることの相互作用によって、各面材パネルをそれぞれしっかりと天井側に保持させることができる。
【００２０】
更に、金具のおさえ板を水平跳上げ状態に回動させた状態で、面材パネルの上縁部を、側方より金具の側に寄せ、そして、おさえ板を垂下状態に回動させることで、面材パネルの上部側を容易に金具に保持させることができて、各面材パネルをそれぞれ個別に容易に取り付けていくことができる。
【００２１】
また、いずれか一方の面材パネルのみを取り外す場合は、垂下状態に保持されているおさえ板の保持を解除し、これを水平跳上げ状態に回動させ、その面材パネルを手前側に傾けるようにするだけで取り外すことができ、面材パネルを個別に容易に取り外すことができる。
【００２２】
【発明の実施の形態】
次に、本発明の実施形態を図面に基づいて説明する。
【００２３】
第１実施形態を示す図１において、１は天井面、２は床面であり、間仕切り壁３は、床面２から天井面１まで延ばされて設置され、室を、一方の室である居室４と、もう一方の室である廊下室５とに仕切っている。なお、間仕切り壁３を挟む室の組み合わせが廊下と居室に限られるものでないことはいうまでもない。
【００２４】
この間仕切り壁３において、６は居室側に面する一方の面材パネル、７は廊下側に面するもう一方の面材パネルである。両面材パネル６，７は、例えば、ボード類などからなる。
【００２５】
３１は天井面側のランナー材、３２は床面側のランナー材である。床面側のランナー材３２は、間仕切り壁３の壁心Ｃと同心状態に取り付けられている。一方、天井面側のランナー材３１は、その居室側の側面を壁心Ｃと一致させるよう、壁心Ｃから廊下５側に偏心して取り付けられている。そして、壁心Ｃを挟んで天井側のランナー材３１と隣り合う領域において、天井板１には孔３３が設けられ、この孔３３を通じて天井裏の配線３４が導出されている。これにより、天井側のランナー材３１に配線通孔を形成する必要をなくすことができる。
【００２６】
廊下側の面材パネル７には、図１，図４及び図６に示すように、その背面に上下の横桟７ａ，７ｂが取り付けられている。面材パネル７は、その下部において、外側から、ビス３５を、下横桟７ａを介して床面側のランナー材３２の側面に打ち込むことで、床面側のランナー材３２に取り付けられるようになっている。また、上横桟７ｂは、天井側のランナー材３１の下面側に突出されるように取り付けられており、面材パネル７は、その上部において、その背面側から、ビス３５を、上横桟７ｂの下方より、天井側のランナー材３１の下面へと打ち込むことで、天井面側のランナー材３１に取り付けられるようになっている。
【００２７】
そして、この面材パネル７の背面には更に、上下の横桟７ａ，７ｂ間において、縦桟７ｃ…が複数本、互いに間隔をおいて、面材パネル７の幅方向における両側縁部と中間部とに取り付けられている。そして、面材パネル７の高さ方向中間の所定の高さ位置において、これら縦桟７ｃ．７ｃ，７ｃの背面部にわたすように、引っ掛け取付け手段の構成部材の一つを構成する帯板状の横バー３７が、その幅方向を上下方向に向け、横方向に延ばされて取り付けられている。この横バー３７は、縦桟７ｃ…の背面から外方に突出しないよう、各縦桟７ｃ…の背面部に設けられた浅溝３８内に嵌合されて、縦桟７ｃ…の背面と面一となるよう取り付けられている。
【００２８】
一方、居室側の面材パネル６は、図１に示すように、その高さ寸法が、取付け状態において、その上面と天井面１との間に開口部３９が形成されるよう、床面２と天井面１との間隔寸法よりも所定の寸法だけ短く設計されている。
【００２９】
この居室側面材パネル６には、図１，図５及び図６に示すように、その背面の下部に、同じく横桟６ａが取り付けられており、面材パネル６は、その下部において、外側から、ビス３５を、下横桟６ａを介して床面側のランナー材３２の側面に打ち込むことで、床面側のランナー材３２に取り付けられるようになっている。
【００３０】
更に、この面材パネル６の背面には、下横桟６ａの上方において、縦桟６ｃ…が複数本、互いに間隔をおいて、面材パネル６の幅方向における両側縁部と中間部とに、廊下側の面材パネル７の縦桟７ｃ…と横方向において対応するように取り付けられている。これら縦桟６ｃ…の上端部は面材パネル６の上端面近傍位置まで延ばされ、面材パネル６は、その上部において、外側から、ビス３５を、縦桟６ｃ…の上端部を介して天井側のランナー材３１の側面に打ち込むことで、天井側のランナー材３１に取り付けられるようになっている。
【００３１】
そして、面材パネル６の高さ方向中間の所定の高さ位置において、各縦桟６ｃ…の背面部にはそれぞれ、引っ掛け取付け手段の構成部材のもう一つを構成する掛止金具４０…が取り付けられている。
【００３２】
この掛止金具４０は、短尺のアングル材からなり、各板部４１，４２はそれぞれ取付け部として機能するものとなされている。４３…はそのための取付け孔である。そして、両板部４１，４２の連接境界部領域には、廊下側の面材パネル７に取り付けられている横バー３７に対し、その上方より嵌合される下向き開放の所定の深さの掛止用切欠き４４が設けられている。
【００３３】
掛止金具４０は、一方の板部４２をその板厚寸法分縦桟６ｃの側方に突出させるよう、しかも、この一方の板部４２を縦桟６ｃの背面部から外方に突出させるよう、もう一方の板部４１を縦桟６ｃの背面部に取り付けて用いられる。縦桟６ｃの背面部には、この取付け板部４１を外方に突出させないようにするための浅溝４５が形成されいる。
【００３４】
この掛止金具４０は、いずれの板部４１，４２も取付け板部として機能するよう構成されているので、図５及び図６に示すように、この一種類の掛止金具４０を用い、左右及び中間の縦桟６ｃ…に対し、それぞれ都合の良い側の板部を取り付け、それによって、もう一方の板部を縦桟６ｃ…の左右都合の良い側から外方に突出させるようにすることができる。
【００３５】
また、この居室側の面材パネル６の背面の上部には、廊下側の面材パネル７の背面上部に取り付けられている横桟７ｂに対応するように、縦桟６ｃ…間に、横桟６ｂ，６ｂが取り付けられ、この横桟６ｂには、所定の深さの溝４６が形成されており、この溝４６を通じて、配線３４を下方に延ばせるようになっている。
【００３６】
間仕切り壁３は、次のようにして形成される。即ち、図２に示すように、ランナー材３１，３２を、床面２と天井面１とにそれぞれ上記のような態様で取り付けると共に、天井裏の配線３４を孔３３を通じて居室側に跳ね出す。そして、廊下側の面材パネル７を、床面側と天井面側の各ランナー材３１，３２に対し、上記のような態様で、ビス３５にて取り付ける。しかるのち、居室側の面材パネル６を、配線の跳ね出しを行いながら、次のようにして取り付ける。
【００３７】
即ち、図３及び図６に示すように、居室側の面材パネル６を床面２から浮上状態に持ち上げ、これを廊下側の面材パネル７の背面に沿わせるようにし、そして、下方に変位させる。これにより、居室側の面材パネル６に取り付けられている各掛止金具４０…の切欠き部４４が、廊下側の面材パネル７の横バー３７に嵌合され、居室側の面材パネル６は、廊下側の面材パネル７に対し、引っ掛け状態に取り付けられる。切欠き部４４は、下方向に向けて横バー３７側に傾斜４４ａするよう開かれているから、この傾斜部４４ａによって、掛止金具４０を容易に横バー３７に引っ掛けることができる。この取付け状態において更に、居室側の面材パネル６を、床面側と天井面側の各ランナー材３１，３２に対し、上記のような態様で、ビス３５にて取り付ける。
【００３８】
この取付け状態において、図１に示すように、居室側の面材パネル６の上端面と天井面１との間に開口部３９が形成され、この開口部３９の奥方の配線用空間部４８が、この開口部３９を通じて外に開放される。外に跳ね出した配線３４は、この開口部３９を通じて、奥方空間部４８内に収納することができ、この空間部４８を通じて、必要箇所へと延ばしていくことができる。４９は配線ボックスであり、開口部３９を通じて、奥方空間部４８内にセットされ、配線３４はこの配線ボックス４９内に通される。
【００３９】
また、配線３４を、間仕切り壁３の下部に設けられるコンセント等の接続部へと延ばす場合は、居室側の面材パネル６を取り付ける前に、配線３４を廊下側の面材パネル７の背面側に沿わせるように下方へと延ばしていき、接続部に結線する。しかるのち、居室側の面材パネル６の取付けを上記と同様にして行えばよく、間仕切り壁３内への配線を施工上、容易に行うことができる。
【００４０】
しかるのち、開口部３９を塞ぎ材５１にて塞ぎ、各面材パネル６，７の上部に廻り縁２６，２６を取り付け、各面材パネル６，７の下部に幅木２７，２７を取り付ける。なお、塞ぎ材５０は、無機質材料などの不燃材料からなるものであるのがよい。以上にようにして間仕切り壁３が形成される。
【００４１】
間仕切り壁３に、設置場所との関係で、遮音や断熱の性能が求められたり、求められなかったりする場合は、廊下側の面材パネル７の設置後、この面材パネル７の背面側に、遮音材や断熱材を入れたり、入れなかったりし、そして、居室側の面材パネル６の取付けを行うというようにすることで、求められる性能の間仕切り壁３を簡易に形成できる。
【００４２】
この間仕切り壁３では、ライフステージやライフスタイルの変化に応じて居室４の内装のみを変更しようという場合は、居室側の面材パネル６のみを取り外して、これを新たな面材パネルと交換するだけでよく、廊下側の面材パネル７の取外しを行う必要はない。即ち、居室４側の廻り縁２６や塞ぎ材５０、幅木２７を取り外し、配線ボックス４９や配線３４を外に出す。しかる後、ランナー３１，３２に打たれているビス３５…を取り外し、居室側の面材パネル６を上方に変位させて引っ掛け取付け状態を解除し、居室側の面材パネル６を取り外す。そして、必要に応じて配線３４の方向を変更し、新たな面材パネルを、上記と同様にして取り付ければ、居室側の面材パネルのみ交換された間仕切りパネル３に形成される。廊下側の面材パネル７は、もとの設置状態のままでよく、なんらいじる必要はなく、居室４の内装工事を簡易にかつコスト的に有利に行うことができる。
【００４３】
なお、廊下側の面材パネル７は、その上部の横桟７ｂが、この面材パネル７の背面側から天井側ランナー材３１に取り付けられているため、居室側の面材パネル６を取り外さなければ、取り外せない。しかし、廊下側の面材パネル７についても、これ単独で、居室側の面材パネル６を設置状態にしたまま、取り外せる構成とするようにしてもよい。
【００４４】
また、間仕切り壁３の設置後、内部に収容されている配線３４にアクセスする必要がある場合は、居室４側において、廻り縁２６と塞ぎ材５０を取り外して、開口部３９を開き、この開口部３９を通じてアクセスすることができる。また、この開口部３９ではアクセスできない場合は、居室側の面材パネル６を上記のようにして取り外すことによって、配線へのアクセスを行うことができ、間仕切り壁３内の配線へのアクセスを容易に行うことができる。
【００４５】
なお、本実施形態では、図７に示すように、隣り合う廊下側の面材パネル７，７は、その側面同士が直接の突き合わせ状態にされて連結されている。連結は、面材パネル７，７の側部に備えられている縦桟７ｃ，７ｃ間にジョイント部材５１を差込み、各縦桟７ｃ，７ｃをビス３５にてこのジョイント部材５１に止めるというようにして行われている。このジョイント部材５１は、居室側の面材パネル６の縦桟６ｃ，６ｃ間にも差し込まれるようになされていて、廊下側の面材パネル７，７同士の突き合わせ部がその背面側から塞がれると共に、また、居室側の面材パネル６，６同士の突き合わせ部もその背面側から塞がれて、光漏れ等を生じないようにされている。ジョイント部材５１の前後両面に、不燃性あるいは難燃性の遮音層５１ａ，５１ａを形成しておけば、音漏れも防ぐことができる。
【００４６】
第２実施形態を示す図８及び図９において、１は天井面、２は床面であり、これら天井面１と床面２とにわたすように間仕切り壁３が設置され、この間仕切り壁３にて、室が一方の室４ともう一方の室５とに仕切られている。
【００４７】
この間仕切り壁３において、６は、一方の室４に面する面材パネル、７は、もう一方の室５に面する面材パネルであり、これら面材パネル６，７は、それらの間に間隔８をおいて、床２から天井１にわたすように、それぞれ個別に取り付けられて、間仕切り壁３を構成している。各面材パネル６，７は、例えば、古紙を用いて製作されたハニカムパネルなどによるものである。
【００４８】
上記の個別取付け構造を実現するため、本実施形態では、次のような構造を採用している。
【００４９】
即ち、各面材パネル６，７の下端側を床面２側に取り付けるため、下金物９…が用いられている。この下金物９は、図８に示すように、内部に配線１１用の空洞１０を有し、下面が床面２への接地面に形成されている。そして、この下金物９の上面側の中央部に、面材パネル６，７間の間隔８を保持するための凸１２が備えられると共に、この凸１２を挟む両側に、面材パネル厚さの間隔をおいて立ち上がり状のパネル保持壁１３，１４が備えられ、凸１２とパネル保持壁１３，１４との間に面材パネル６，７の下端部を嵌め込ませて、面材パネル６，７を保持するようになされている。
【００５０】
また、各面材パネル６，７の上端側を天井面１側に取り付けるため、上金物１５が用いられている。この上金物１５は、図１０及び図１１に示すように、上向き開放の横断面コ字状部１６の両側辺の先端部から水平方向外方に水平板部１７，１８を突出させた、横断面「ひ」の字状の金物本体１９を備えており、この金物本体１９の両水平板部１７，１８の先端におさえ板２０，２１を蝶着させたもので、おさえ板２０，２１は、水平跳上げ状態と垂下状態とに回動されるようになされている。
【００５１】
面材パネル６，７はそれぞれ、上記の金物９，１５を用いて、次のようにして取り付けられる。即ち、天井面１の所定の位置にランナー材２３をネジ等にて取り付けると共に、床面２上の対応位置に下金物９…を設置し、面材パネル６，７をそれぞれ下金物９の間隔保持用の凸１２とパネル保持壁１３，１４との間に嵌め込む。そして、上金物１５を、そのコ字状部１６内にランナー材２３を嵌め込んだ状態にセットし、図１１（イ）に示すように、おさえ板２０，２１を水平跳上げ状態に回動させ、面材パネル６，７の上端部を側方より上金物１５の側に寄せていって上金物１５内に受けさせ、上金物１５の水平板部１７，１８を面材パネル６，７の上面に支承させる。そして、図１１（ロ）に示すように、おさえ板２０，２１を垂下状態に回動させて、面材パネル６，７の上端部をコ字状部１６とおさえ板２０，２１とで挟み込んだ状態にし、各おさえ板２０，２１を各面材パネル６，７の上端部の側面部にネジ２４等にて固着する。以上のようにして、各面材パネル６，７が床２から天井１にわたすように取り付けられ、間仕切り壁３が形成される。
【００５２】
なお、本実施形態では、図９に示すように、各面材パネル６，７はそれぞれ、幅方向の２箇所を上下の金物９，１５に保持させて取り付けられている。また、上下の金物９，１５は、幅方向において隣り合う面材パネル６，６；７，７にわたすようにそれらの境界部においてセットされ、幅方向において隣り合う面材６，６；７，７が面一状態に取り付けられるようになされている。
【００５３】
また、図９及び図１２に示すように、間仕切り壁３の高さ方向中央部ないしは中間部位置には、間隔保持材２５が、水面材パネル６，７間の隙間８とこれと幅方向において隣り合う面材パネル６，７間の間隔８とにわたすように嵌合されており、幅方向において隣り合う面材パネル６，６；７，７の側縁部同士が、高さ方向中間部において、強度的にしっかりと面一状態に保持されるようになされている。また、この間隔保持材２５には、幅方向において隣り合う面材パネル６，６間、及び、面材パネル７，７間に突出される凸２５ａ，２５ａを備え、この凸２５ａ，２５ａを両側からパネル６，６；７，７にて挟むことにより、幅方向における面材パネルの位置決めがなされるようになっている。
【００５４】
また、上記のような設置状態において、天井１側には、図８に示すように回り縁２６を取り付けて、上金物１５を隠蔽するようにしてよい。また、床２側についても、図示しないが、幅木を取り付けるようにしてよい。
【００５５】
上記のような構造による間仕切り壁３では、現場にて、面材パネル６，７をそれぞれ個別に取り付けて間仕切り壁３を形成していくことができるものであるから、遮音、断熱など、求められる性能に応じて、現場での各面材パネル６，７の取付け工事において、面材パネル６，７間の隙間８に、遮音材を入れたり、入れなかったり、断熱材を入れたり、入れなかったりすることを、臨機応変に簡易に行っていくことができる。しかも、ライフステージやライフスタイルの変化に応じて一方の室４の内装を変更しようというような場合は、その室４に面する面材パネル６のみを取り外して、新たな面材パネルを取り付け直すことで対応することができ、改修工事を簡易にかつコスト的に有利に行うことができる。改修工事の際の面材パネル６の取外しは、上金物１５のおさえ板２０のネジ２４を取り外し、おさえ板２０を水平跳上げ状態に回動させ、面材パネル６を傾けるようにして下金物９から抜くというようにして、容易に行うことができる。
【００５６】
なお、上記の第２実施形態では、下金物９や上金物１５として特定構造のものを用いているが、その他の形式による金物が用いられてもよい。また、面材パネル６，７には、合板や、各種ボート類が用いられてよい。
【００５７】
【発明の効果】
上述の次第で、本発明のパネル式間仕切り壁は、上記のような構成を有するものであるから、ライフステージやライフスタイルの変化に応じて一方の室の内装のみを変更しようというような場合に、これを簡易にかつコスト的に有利に行うことができる。また、配線や配管を内部に通すことが求められる場合に、これを施工上容易に行うことができる。更に、求められる遮音・断熱等の性能が設置場所との関係で異なるような場合に、それに簡易に対応することができる。
【図面の簡単な説明】
【図１】第１実施形態の間仕切り壁構造を示す側面断面図である。
【図２】図３とともに取付けの手順を順次に示す側面断面図である。
【図３】図２とともに取付けの手順を順次に示す側面断面図である。
【図４】廊下側の面材パネルを背面側から見た斜視図である。
【図５】居室側の面材パネルを背面側から見た斜視図である。
【図６】両面材パネルをそれぞ背面側から見た斜視図である。
【図７】図（イ）は同間仕切り壁の平面断面図、（ロ）は分離状態の部分断面斜視図である。
【図８】第２実施形態の間仕切り壁構造を示すもので、図９のＩ−Ｉ線断面矢視図である。
【図９】同正面図である。
【図１０】面材パネルの上部側の取付け構造を示す一部断面分解斜視図である。
【図１１】図（イ）（ロ）は面材パネルの上端の取付け方法を順次に示す断面側面図である。
【図１２】図９のＩＩ−ＩＩ線断面図である。
【符号の説明】
１…天井
２…床
３…間仕切り壁
４…居室（一方の室）
５…廊下（もう一方の室）
６…居室側の面材パネル
７…廊下側の面材パネル
３１…天井側ランナー材
Ｃ…壁心
３３…孔
３４…配線
３７…横バー（引っ掛け取付け手段）
３９…開口部
４０…掛止金具（引っ掛け取付け手段）
４８…奥方空間部
５０…塞ぎ材
１５…上金物
１６…コ字状部
１７，１８…水平板部
２０，２１…おさえ板
２３…天井側ランナー材
【図１】
0004159705.tif 000002
【図２】
0004159705.tif 000003
【図３】
0004159705.tif 000004
【図４】
0004159705.tif 000005
【図５】
0004159705.tif 000006
【図６】
0004159705.tif 000007
【図７】
0004159705.tif 000008
【図８】
0004159705.tif 000009
【図９】
0004159705.tif 000010
【図１０】
0004159705.tif 000011
【図１１】
0004159705.tif 000012
【図１２】
0004159705.tif 000013